(57)【要約】【課題】本形式で見開き画像を表示する画像表示方法において、見開きページから他のページへジャンプして容易に目当てのページを開くことができるようにする。【解決手段】見開き画像Ｐは小口５９および地６０側に、現在表示されているページの背後にあるページをずらせて表示する。見開き画像Ｐを入力装置７でポインティングすると、その位置を含むページが抽出される。特に小口５９や地６０をポインティングした場合は隠れているページが抽出される。複数ページが抽出された場合は、見開きページに最も近いページが指定ページとして確定され、そのページを含む見開きのプレビュー画像６６が表示される。ポインティングした位置がクリックされると、そのプレビュー画像に対応する見開き画像が表示され、一気に目当てのページへのジャンプが果たされる。【選択図】図９
2010039757.tif 000002
【特許請求の範囲】
【請求項１】
画像記憶手段に予め準備された複数枚の画像を右ページ画像と左ページ画像の組からなる本形式の見開き画像として表示装置に表示する画像表示方法において、
前記見開き画像を、最上位ページから最下位ページまでの画像を所定量ずつずらして前後の見開き画像の各ページの縁が見えるように重ねて表示するステップと、
現在表示されている見開き画像の下にあるページの縁が表示されている領域に入力装置で位置が指示されたことを検出するステップと、
前記入力装置による位置の指示を検出した場合に、指示された位置に対応するページを指定ページとして特定するステップと、
指定ページを含む見開き画像を前記画像記憶手段から読み出して、該見開き画像のプレビュー画像を、前記指定ページの前記指示された位置の近傍に重ねて表示するステップと、
前記指示された位置に対して、入力装置によるページ切り替え指示がなされたことを検出するステップと、
前記ページ切り替え指示に応答して、前記プレビュー画像で代表される見開き画像を現在表示されている画像に代えて表示するステップとからなることを特徴とする画像表示方法。
【請求項２】
前記指定ページとして特定するステップが、指示された位置を含んでいるページのうち、現在表示されている見開き画像のページに最も近いページを前記指定ページとするステップであることを特徴とする請求項１記載の画像表示方法。
【請求項３】
前記プレビュー画像の表示位置が、前記指示された位置と重ならない位置に設定されることを特徴とする請求項１または２記載の画像表示方法。
【請求項４】
前記プレビュー画像が半透明画像で表示されることを特徴とする請求項１〜３のいずれかに記載の画像表示方法。
【請求項５】
前記各ページの縁が見えるように重ねて表示するステップでは、各ページの画像を本の小口側および地側へそれぞれずらして表示することを特徴とする請求項１〜４のいずれかに記載の画像表示方法。
【請求項６】
前記各ページの画像と小口側および地側への位置のずらし量との割合を変化させ、小口および地側の幅を大きくして見開き画像を表示させるステップを含んでいることを特徴とする請求項５記載の画像表示方法。
【請求項７】
前記ページ切り替え指示がなされたときに見開き画像を表示するとともに、見開き画像に予め設定されている演出効果に関する情報を合わせて表示するステップを含んでいることを特徴とする請求項１〜６のいずれかに記載の画像表示方法。
【請求項８】
請求項１〜７のいずれかに記載された画像表示方法の各ステップをコンピュータによって実行させる画像表示用コンピュータプログラム。
【請求項９】
請求項８に記載された画像表示用コンピュータプログラムを格納したコンピュータによる読み取り可能な記録媒体。
【発明の詳細な説明】
【技術分野】
【０００１】
本発明は、画像表示方法、画像表示用コンピュータプログラムおよび記録媒体に関し、特に、絵本や写真集、カタログブック等から読みとった画像データを使用して、絵本、写真集、カタログブックの見開き形式で表示する画像表示方法および画像表示用コンピュータプログラムおよび記録媒体に関する。
【背景技術】
【０００２】
見開きの２ページにカタログブックの２つのページ画像を左右に並べて表示させる見開き形式の画像ビューアを含む画像表示システムが特許文献１に記載されている。この画像ビューアは、現在のページ数の表示およびページめくりボタンを上方に設けている。また、画像ビューアはページサーチ機能も備えており、所望のページ番号が入力されることにより、現在のページからページジャンプして指定されたページを表示することができる。
【０００３】
また、特許文献２には、見開き表示領域で表示されている本の小口を指示すると該当するページのページ番号が表示され、その部分をクリックすると、表示されたページ番号へジャンプする方法が提案されている。
【０００４】
特許文献１、２に記載されている画像表示システムでは、ページサーチする場合、ジャンプ先のページを入力して、そのページにジャンプする。しかし、ジャンプする先のページを開いたときにどのような画像が表示されるかは予め分からない。したがって、目次などでジャンプページまたはジャンプページ前後の画像表示内容を調べて、ジャンプする先のページを決定することになるが、目次は全てのページのタイトルが記載されているとは限らないし、絵本等、目次がない場合は、ページを入力して所望のページを開くことが容易ではない。
【０００５】
このようなページ入力方法を採用している従来方法では解決できない問題を解決するために、特許文献３には、見開き表示領域とは別に見開きページのサムネイル画像を表示するリスト表示領域を設けて、このサムネイル画像をクリックすることにより所望の見開きページにジャンプすることが提案されている。
【特許文献１】特開２００４−１１０７１９号公報
【特許文献２】特開平２−１８１８６４号公報
【特許文献３】特開平８−１０６４６９号公報
【発明の開示】
【発明が解決しようとする課題】
【０００６】
しかし、このサムネイル画像を用いる方法では、見開きページとサムネイル画像とを別画面に表示するか、両者を一画面内で別位置に分けて表示するかすることになるので、実際に本をめくって所望ページを開くような直観的な操作にならないという問題点がある。
【０００７】
本発明は、上記問題点を解消し、複数ページの画像をそれぞれページめくり指示により切り換えて表示させる際に、所望の画像ページに容易に到達することができる画像表示方法、画像表示用プログラムおよび記録媒体を提供することを目的とする。
【課題を解決するための手段】
【０００８】
上記の課題を解決し、目的を達成するための本発明の方法は、画像記憶手段に予め準備された複数枚の画像を右ページ画像と左ページ画像の組からなる本形式の見開き画像として表示装置に表示する画像表示方法において、前記見開き画像を、最上位ページから最下位ページまでの画像を所定量ずつずらして前後の見開き画像の各ページの縁が見えるように重ねて表示するステップと、現在表示されている見開き画像の下にあるページの縁が表示されている領域に入力装置で位置が指示されたことを検出するステップと、前記入力装置による位置の指示を検出した場合に、指示された位置に対応するページを指定ページとして特定するステップと、指定ページを含む見開き画像を前記画像記憶手段から読み出して、該見開き画像のプレビュー画像を、前記指定ページの前記指示された位置の近傍に重ねて表示するステップと、前記指示された位置に対して、入力装置によるページ切り替え指示がなされたことを検出するステップと、前記ページ切り替え指示に応答して、前記プレビュー画像で代表される見開き画像を現在表示されている画像に代えて表示するステップとからなる点に第１の特徴がある。
【０００９】
また、本発明は、前記指定ページとして特定するステップが、指示された位置を含んでいるページのうち、現在表示されている見開き画像のページに最も近いページを前記指定ページとするステップである点に第２の特徴がある。
【００１０】
また、本発明は、前記プレビュー画像の表示位置が、前記指示された位置と重ならない位置に設定される点に第３の特徴がある。
【００１１】
また、本発明は、前記プレビュー画像が半透明画像で表示される点に第４の特徴がある。また、本発明は、前記各ページの縁が見えるように重ねて表示するステップでは、各ページの画像を本の小口側および地側へそれぞれずらして表示する点に第５の特徴がある。
【００１２】
また、本発明は、前記各ページの画像と小口側および地側への位置のずらし量との割合を変化させ、小口および地側の幅を大きくして見開き画像を表示させるステップを含んでいる点に第６の特徴がある。
【００１３】
また、本発明は、前記ページ切り替え指示がなされたときに見開き画像を表示するとともに、見開き画像に予め設定されている演出効果に関する情報を合わせて表示するステップを含んでいる点に第７の特徴がある。
【００１４】
また、本発明は、前記第１〜第７の特徴を有する画像表示方法の各ステップをコンピュータによって実行させる画像表示用コンピュータプログラムである。
【００１５】
さらに、本発明は、前記画像表示用コンピュータプログラムを格納したコンピュータによる読み取り可能な記録媒体である。
【発明の効果】
【００１６】
第１、第２の特徴を有する本発明によれば、背後に隠れているページの縁が見えるように本形式で２ページ見開き画像が表示される。そして、その縁が見えているページに対して入力装置を使用してユーザが位置を指示したとき、つまり入力装置でカーソルを合わせた（以下、「ポインティング」という）とき、その位置が検出され、その指示された位置の近傍（例えば、この指示位置を含むページの縁）に重ねて見開きのプレビュー画像が表示される。したがって、現在表示されている見開き以外の見開きの画像を確認できる。そして、ポインティングされた位置をそのまま入力装置でクリック操作する等、ページ切り替え指示をすることによって、目当ての見開きへジャンプすることができる。
【００１７】
つまり、入力装置であるマウスを滑らせて、表示された見開き画像の、本の小口や地に相当する領域でカーソルを移動させると、カーソル位置に応じて次々とプレビュー画像が表示されるので、目的のページのプレビュー画像が表示された時にカーソルの移動を止めて、その位置でクリックすれば、目的のページを含む見開き画像が得られる。
【００１８】
第３の特徴を有する特徴によれば、ポインティングした位置を避けるようにして、しかもポインティングした位置から遠くない位置にプレビュー画像を表示することにより、カーソルと重なることによってプレビュー画像が見づらくなってしまうのを防止できるし、ポインティングしている付近の小口や地の部分の画像をプレビュー画像が隠してしまうのも防止できる。
【００１９】
第４の特徴によれば、プレビュー画像を半透明で表示してプレビュー画像をページの画像内に重ねて表示したときに、下の画像が透けて見えるので、プレビュー画像が目障りになるのを回避することができる。
【００２０】
第５の特徴によれば、縁を表示することによって、隠れているページの内容が大まかに把握できる。絵本やカタログブック等、ページの縁まで色彩が配されている本では、ページの縁に現れている色のパターンが小口見出しの機能を果たし、ページの内容に見当をつけることができるので、目的のページを縁の絵に基づいて探し当てることができる。
【００２１】
第６の特徴によれば、小口や地が見える幅を大きくしつつ、ページの画像は小さく表示できるので、入力装置による小口や地の指示を容易にするとともに、ページの画像の縁が大きく表示されるので、隠れているページの内容をより容易に見当付けることができる。
【００２２】
第７の特徴によれば、見開き画像に予め設定されている音声や画像処理の演出を、ページの画面に含まれているマーク等の情報によって認識することができる。
【発明を実施するための最良の形態】
【００２３】
以下、図面を参照して本発明を詳細に説明する。図２は、本発明の一実施形態に係る画像表示方法を実現する画像表示制御装置のハードウェア構成を示すブロック図である。このハードウェア構成は汎用のパーソナルコンピュータによって実現できる。すなわち、画像表示制御装置１００は、ＣＰＵ１、ＲＯＭ２、ＲＡＭ３、表示装置４、音源装置５、サウンドシステム６、入力装置７、および外部記憶装置８を有している。また、パーソナルコンピュータには、スキャナ装置９およびマイクロフォン１０が接続される。マイクロフォン１０はＡ／Ｄ変換器１１を介してパーソナルコンピュータに接続される。
【００２４】
表示装置４としては、液晶ディスプレイ装置等、パーソナルコンピュータの処理結果を表示するための周知の装置を使用できる。音源装置５は、ソフトウェアや効果音付与のためのＤＳＰ等から構成される。入力装置７は、キーボードおよびマウス等のポインティングデバイスである。外部記憶装置８は、例えば、ディスクドライブ装置であり、記憶媒体から画像表示用プログラムを読み込んでＲＯＭ２にインストールするのに用いられる。なお、画像表示用プログラムは、外部記憶装置８からＲＯＭ２にインストールするのに限らず、パーソナルコンピュータに設けられる通信装置を使用してインタネット上のサーバ等情報リソースからダウンロードするのであってもよい。ＲＡＭ３は、ＣＰＵ１での処理に使用される情報を一次的に記憶する手段である。サウンドシステム６は、図示しないＤ／Ａ変換器、アンプ、およびスピーカを含む。
【００２５】
画像表示制御装置１００は、ＲＯＭ２に読み込まれる画像表示用プログラムをＣＰＵ１で実行することにより、表示装置４に画像を表示する。ＣＰＵ１の機能および画像表示用プログラムの詳細は、以下に説明する実施例によって明らかにする。
【００２６】
画像表示制御装置１００は、スキャナ装置９で読み込んだ絵本の画像に演出効果を加えて電子絵本を作成し、その電子絵本を表示装置４で表示再生するとともに、サウンドシステム６を使用して本文の朗読音声や効果音を再生する。
【００２７】
図３は、画像表示制御装置１００の要部を示すパーソナルコンピュータの機能ブロック図である。図３において、画像読み取り部１８は、画像作成モードスイッチ１９のオンに応答してスキャナ装置９を駆動し、スキャナ装置９の読み取り位置にセットされている絵本の画像を読み取り、画像記憶部２０にページ数と対応付けて記憶される。なお、画像補正部２１を設けて、スキャナ装置９で読み取られた画像を表示装置４に表示して、必要に応じて画面の回転、トリミング、色調補正などの補正処理を画像情報に加えた後、画像記憶部２０に記憶させることもできる。
【００２８】
なお、画像記憶部２０に記憶される画像情報は、絵本から読み取ったものに限らず、写真集やカタログブック等から読みとったものでもよいし、本形式のものに限らず、複数枚のシート状の絵や写真であってもよい。また、デジタルカメラ等で撮影された電子情報による画像を画像記憶部２０に直接取り込んでもよい。さらに、外部記憶装置８から読み込まれる記録媒体に画像表示用プログラムとともに絵本の画像情報を含めておき、この画像情報を取り込むのであってもよい。
【００２９】
演出設定画像作成部２２は、画像記憶部２０に記憶された画像に対して演出効果を加える手段である。演出効果には、音声、サウンド（効果音）、ＢＧＭ等、音の演出、並びに画像の拡大・縮小、および変形・移動等、画像演出が含まれる。演出画像作成部２２は、演出領域設定部２２１と演出効果設定部２２２とからなり、演出設定モードスイッチ２３のオンに応答して起動される。
【００３０】
演出領域設定部２２１は、表示装置４に表示される演出設定前の各ページの画像に対して入力装置７を使って演出領域を決定し、その演出領域を表示装置４の表示画面上の座標値として記憶する。すなわち、入力装置９としてのマウスのＸ・Ｙ方向の移動量がＲＡＭ３上のカーソルポイントレジスタのカーソル座標データに加算されることで、この座標データに基づいて表示装置４上でのカーソル位置が決定される。そして、表示装置４に表示された各ページ画像の演出領域として指定された位置の座標データに再生時期データが付加されて、演出設定情報記憶部２４に記憶される。再生時期データは、演出領域内の画像を、演出効果を伴って表示（再生）するタイミングを示す情報であり、演出領域の設定時に編集により決定される。
【００３１】
演出効果設定部２２２は、演出領域に対応する演出の種類を選択し、演出効果として演出領域と対応付けて演出設定情報記憶部２４に記憶するものである。
【００３２】
演出設定画像再生部２５は、演出画像再生スイッチ２６のオンに応答して、第１ページ目から画像記憶部２０の画像情報を読み出して表示装置４で表示するとともに、再生時期データに従って、演出設定情報記憶部２４から演出設定情報を読み出し、この演出情報によって、表示装置４に表示されている各ページの画像に演出効果を加える。例えば、表示されている演出領域内のキャラクタを移動させたり、サウンドシステム６を使って音声や効果音等を発生させたりする。
【００３３】
図４は、表示装置４の表示例を示す図である。図４において、画面２７は、モードスイッチ表示領域２８、再生画像表示領域２９、再生操作領域３０、および再生画像領域２９の下方に設けられた時間軸を示す横長の棒グラフ３１が表示されている。モードスイッチ表示領域２８には、画像作成モードスイッチ１９、演出設定モードスイッチ２３、演出画像再生スイッチ２６、および印刷スイッチ３２が設けられる。また、画像作成モードスイッチ１９の上方には、現在選択されているモードを表示する現在モード表示領域３３が設けられる。現在のモードは演出画像再生モードであり「再生」と表示されている。
【００３４】
棒グラフ３１は、各見開き２ページ分の再生時間をそれぞれ表したものである。棒グラフ３１は、各見開きページの再生時間に応じた長さで目盛りを付加しており、現在再生している見開きページの直前までのページは第１の色３４（例えば赤）で表示し、現在再生している見開きページを第２の色３５（例えば青）で示している。現在の見開きページの再生が進むにつれて第２の色３５の長さが短くなって、第１の色３４の長さが長くなっていく。これにより、全体に対する現在再生中の見開きページの位置が判断できるとともに、再生中の見開きページ中の現在位置が判断できる。
【００３５】
再生操作領域３０には、再生開始ボタン３６、停止ボタン３７、および再生ページ中の頭出しボタン３８と、ページめくりボタン３９、４０、４１とが表示される。ページめくりボタン３９は次ページへ表示を進めるスイッチであり、ページめくりボタン４１は前ページへ表示を戻すスイッチである。また、ページめくりボタン４０は最初のページにジャンプして表示させるスイッチである。ページめくりボタン３９、４０、４１は手動操作スイッチである。表示中のページの画像再生が終了した後、自動的にページめくりを実行する自動めくりボタン４２が設けられる。
【００３６】
図４は、演出画像再生モード実行中の画面であり、再生画像表示領域２９には、２ページ見開き形式で絵本が表示されている例が示されている。符号４３はすでに読み込まれている絵本の画像ファイルにアクセスするための本棚ボタンであり、画像ファイルから絵本の画像を読み出して編集や再生を行う場合に使用する。符号４４はオフスイッチであり、画像表示を終了するときに使用される。
【００３７】
図５は、演出設定モードにおける表示装置４の表示例を示す図である。図５において、演出領域は、左ページの説明文Ａと、右ページのキャラクタＢ、Ｃ、Ｄを囲む矩形領域に設定される。例えば、キャラクタＢを囲む演出領域４５は、位置４５１にマウスのカーソルをポインティングして、斜め下方向の位置４５２までマウスをドラッグすることによって設定される。同様にして、キャラクタＡ、Ｃ、Ｄに対して演出領域４６、４７、４８が設定される。設定した演出領域は視覚で認識できるように矩形線により表示される。
【００３８】
図５には、絵本の画像表示とともに、設定操作ボタンが表示される。設定表示ボタンは、音声演出ボタン４９、ＢＧＭ演出ボタン５０、アニメ演出ボタン５１、およびサウンド演出ボタン５２からなる。例えば、音声演出は、演出領域４８に対して朗読音を付与するものである。演出設定モードで表示された音声演出ボタン４９をクリックした直後に設定された演出領域は音声演出設定領域である。
【００３９】
この音声演出設定領域をさらにマウスでクリックすると、図６に示した音声演出設定窓５３が開く。音声演出設定窓２００には、録音開始ボタン２０１が設けられており、この録音開始ボタン２０１がマウスでクリックされると、マイクロフォン１０から入力される音声が取り込まれ、朗読時間に対応した長さの音声演出データとして演出設定情報記憶部２４に記憶される。音声演出データには、パン（ステレオ効果）、エコー、ピッチシフト、タイムストレッチ等、各種の効果を与える処理を加えることができる。
【００４０】
同様にして、演出領域４５、４６、４７にもサウンド演出（効果音の付加）を設定できるとともに、キャラクタＢ、Ｃ、Ｄ等には、画像の回転、拡大縮小、左右上下方向への移動等の演出を加えることができる。画像演出には、音声演出設定窓２００と同様に、画像演出用の設定窓が開かれる。
【００４１】
図５に戻る。図５において設定操作ボタンのそれぞれの右側には各演出効果が再生されるタイミング（再生時期）を表示するタイムライン５５が設けられる。再生時期は、音声については録音開始時から録音終了時に対応した時間に対応して再生時期を決定する。演出音声の再生時期が決定されると、その見開きページの再生時間の全体を決定することができる。すなわち、朗読時間の前後に任意の時間を付加して見開きページ全体の再生時間とすることができる。
【００４２】
ＢＧＭやキャラクタに動きを付加するアニメーション、およびキャラクタの動きに合わせて発生させるサウンド（効果音）は、演出音声によって決定した時間内の任意の時間帯に、その再生時期を振り分けることができる。
【００４３】
決定した再生時期は、タイムライン５５上に各演出効果のボタンに対応させて表示することができる。図５において、再生時期の例はタイムライン５５上にハッチングで示した。演出領域４５〜４８から再生時期を示すハッチングへ延びた矢印で演出領域と再生時期との対応を示している。
【００４４】
図７は、演出設定情報記憶部２４に記憶される演出設定情報の例を示す図である。図７において、演出設定情報記憶部２４は、絵本のページ記述領域５６と、ページ記述領域５６に対応付けられた演出設定情報記憶領域５７とからなる。演出設定情報は、演出領域のＸ・Ｙ座標と、設定効果名と、設定効果の内容と、再生時間と、再生時期とからなる。再生時期は各ページの画像再生が開始された時を基準にしている。図７の演出設定情報記憶部２４の構成は一例であり、他の情報を演出設定情報に含めてもよい。
【００４５】
前記再生画像表示領域２９に表示された絵本画像のページは、ページめくりボタン３９〜４１や自動ページめくりボタン４２を操作して１ページずつめくったり、最初のページにジャンプさせたりすることができる。しかし、さらに先のページや前のページにジャンプさせたいという要望がある。そこで、次に説明する方法によってこの要望に応えることができる。
【００４６】
図１は、演出が設定された絵本画像の表示例を示す再生画像表示領域２９の表示例を示す図である。図１において、再生画像表示領域２９には、スキャナ装置９で読み込んだ本や冊子（この実施例では絵本）が２ページの見開き形式で表示される。図１に示した見開きでは、左ページに絵が表示され、右ページに絵を説明する文が表示されている。
【００４７】
図１の見開きの右ページの画像は、表示されているページより下位のページ数に応じた厚みがもたされて表示される。また、見開きの左ページの画像は、表示されているページより上位のページ数に応じた厚みがもたされて表示される。なお、これは、本が横書きの場合であり、本が縦書きの場合は、見開きの右ページの画像は、表示されているページより上位のページ数に応じた厚みがもたされて表示される。また、見開きの左ページの画像は、表示されているページより下位のページ数に応じた厚みがもたされて表示される。以下の説明は、横書きの本を想定している。
【００４８】
図１において、文５８が記述されているページより下位ページの縁が小口５９および地（ち）６０に現れるように、各ページを小口５９側および地６０側にそれぞれ所定量ずらして表示する。これによって、下位の各ページの縁が表示され、縁にまで広がって印刷されている絵の色が認識可能である。一方、見開きの左側では、絵６１が描かれているページより上位ページの縁が小口６２および地６３に現れるように、各ページの画像を小口６２側および地６３側にそれぞれ所定量ずつずらして表示する。これによって、上位の各ページの縁が表示され、縁にまで広がって印刷されている絵の色が認識可能である。なお、地側にずらした方が実際に本を見るときの視点により近くなるという効果がある。
【００４９】
表示されている画像の元になっている絵本は、紙の縁まで一杯に色彩が施されていることが多い。したがって、図１の表示形態によれば、紙の縁にかかって描かれている絵の色彩の一部が小口側や地側に現れる。同じ絵本を何回も繰り返して読むユーザ（幼児）は、ページの縁に少しだけのぞいた色彩から自分が見たい絵が載っているページを認識できる。
【００５０】
そこで、本実施形態では、現在表示されている見開き画像で、小口側および地側に表示されているページの縁を、入力装置７であるマウス等を使って指示（ポインティング）することにより、そのページを含む見開き画像を縮小したプレビュー画像を、ポインティングされた小口または地に表示し、さらにプレビュー画像が表示されている状態で、その指示された位置を入力装置７であるマウスでクリック操作をすることにより、プレビュー画像に対応する見開き画像を、再生画像表示領域２９に大きく表示する仕組みとした。
【００５１】
したがって、ユーザは、表示されている見開き画像の小口や地でマウスカーソルを移動させることにより、次々とプレビュー画像を表示させることができる。そして、そのプレビュー画像を見て、望みのページを探し当てたと判断したときに、そのカーソル位置で入力装置７であるマウスのクリック操作をして拡大画像を表示させることができる。
【００５２】
図８は、見開き右ページの小口および地の拡大図である。各ページはそれぞれ小口側にシフト量ｍだけずらし、地側にシフト量ｎだけずらして画像を表示しており、小口５９には、画像の縁に描かれている絵の一部６４が現れ、地６０には見開きページの背後にあるページつまり隠れているページに描かれている絵の一部６５が現れている。
【００５３】
図９は、プレビュー画像を含む表示例を示す図である。図８に示した本形式の画像の小口５９または地６０をポインティングすると、そのポインティングされた縁を有する見開きページの画像を縮小したプレビュー画像６６が図９に示すように見開きページの画像Ｐと合わせて表示される。プレビュー画像６６は、小口５９および地６０のうちポインティングした方に表示される。プレビュー画像６６は、ポインティングした位置と重ならないようにポインティングした位置からずらした位置で、小口または地に表示するのがよい。マウスカーソルとプレビュー画像とが重ならないように表示することによって、プレビュー画像がカーソルで邪魔されるのを防止できるし、これからポインティングしようとする小口や地がプレビュー画像によって遮られてポインティングの操作性を損なうことを防止できるからである。図９では、地６０にプレビュー画像６６が表示されている例を示している。
【００５４】
図１０は、再生画像表示領域２９上での各ページの画像データのＸ・Ｙ座標を示す模式図である。画像Ｐ０は現在開かれている見開きの右ページ（この例では画像Ｐ０は第１ページの画像とする）、画像Ｐ１は画像Ｐ０の次の見開きの右ページ（第３ページ）、画像Ｐ２は画像Ｐ１の次の見開きの右ページ（第５ページ）の画像である。ページが下って行くに従って、前の画像からＸ座標がｍ、Ｙ座標がｎずつ加わって画像の表示位置が右下がりにずれている。
【００５５】
図１１は、画像の表示位置を示す座標値の記憶例を示す図である。画像の表示位置を示す情報は、画像番号、ページ番号、および左上および右下のそれぞれのＸ・Ｙ座標値データを含んでいる。
【００５６】
このように表示位置が設定されている画像の上に入力装置７でカーソルを合わせるポインティング操作をすると、ポインティングされた位置に縁が表示されているページの画像を含む見開き画像のプレビュー画像がページの小口または地に表示される。つまり、マウス（入力装置７）で位置が指示されると、その指示位置を含むページを図１１に示した座標値を参照して抽出する。指示位置は指示された画像よりも下位ページの画像の座標位置も含んでいるため、複数のページが抽出される。そこで、第２段階として、抽出されたページ番号を互いに比較し、ページ番号の若いページを最終的に指示されたページであると特定する。すなわち、現在表示されている見開きページに最も近いページが特定される。
【００５７】
なお、各ページの座標は、ページがめくられると更新される。例えば、第１ページを１枚めくって第３ページを開くと、第３ページの座標は、ページをめくる前の第１ページの座標で置き換えられる。
【００５８】
図１２は、ページジャンプ処理の例を示すフローチャートである。図１２において、ステップＳ１では、現在表示されている見開き画像より下層にあるページに対するポインティングの有無が判断される。つまり、マウスカーソルが再生画像表示領域２９に表示されている下層ページに合わせられたか否かを判断する。ステップＳ１が肯定ならば、ステップＳ２でポインティング位置（Ｘ・Ｙ座標）を決定する。ステップＳ３では、図１１に示した画像表示位置座標の記憶データを検索して、ポインティング位置を含むページ番号を抽出する。ステップＳ４では、複数のページが抽出されたか否かが判断される。複数ページが抽出された場合は、より上位であるページを指定ページとして確定する。
【００５９】
例えば、図１０において、点Ｓ１がポインティングされた場合は、第３ページとその下位の第５ページが抽出され、このうち、より上位であるページつまり第３ページが指定ページとして確定される。また、点Ｓ２がポインティングされた場合は、ステップＳ４は否定となり、ステップＳ６に進んで、第５ページが指定ページとして確定する。
【００６０】
ステップＳ７では、指定ページを含む見開き２ページの画像を画像記憶部２０から読み出す。ステップＳ８では、読み出した見開き２ページの画像を、予め設定された縮小率で縮小してプレビュー画像を作成する。ステップＳ９では、作成されたプレビュー画像を現在表示されている見開き画像の小口または地に表示する。このとき、プレビュー画像の表示位置は、上述したように、ポインティングした位置からずらすのがよい。小口および地のいずれに表示するかは、ポインティングされた位置による。
【００６１】
ステップＳ１０では、ポインティング位置がクリックされたか否かが判断される。ステップＳ１０が肯定ならば、ステップＳ１１に進んで指定ページを含む見開きの画像を画像記憶部２０から読み出す。それからステップＳ１２に進んで、読み出した見開き画像を再生画像表示領域２９に表示する。
【００６２】
図１３は、ページジャンプ処理に必要な機能を示す画像表示制御装置１００の要部機能ブロック図である。図１３において、ポインティング位置判別部６８は、再生画像表示領域２９に表示されている見開き画像内の予定領域が入力装置７でポインティングされたときに、その位置座標を指示ページ抽出部６９に入力する。指示ページ抽出部６９は、ポインティング位置判別部６８から入力された位置座標に基づいてページ座標記憶部７０を検索して、該位置座標を含む領域を有するページを抽出する。このページ座標記憶部７０には、図１１に示した情報、および同様の見開き左ページの情報が記憶される。複数のページが抽出された場合は、より上位のページを指定ページとして確定する。なお、ポインティングが左ページに対して行われた場合、つまり、ページ数が偶数の場合は、より下位のページを指定ページとして確定する。いずれにしても、前記複数ページのうち、現在表示されている見開き画像のページに最も近いページが指定ページとして確定される。
【００６３】
指示ページはプレビュー作成部７１に入力される。プレビュー作成部７１は、画像記憶部２０から指示ページを含む見開きページの画像情報を読み出して予定の縮小率で縮小してプレビュー表示部７２（表示装置４）に出力する。
【００６４】
クリック操作判定部７３は、ポインティングされた位置でマウスクリックがなされたか否かを判定し、クリックされたと判定されたならば、画像記憶部２０にページ番号を伴う読み出し指示を入力する。画像記憶部２０は入力されたページ番号の画像情報を見開き表示部７４（表示装置４）に入力する。入力された画像情報に従って見開き表示部７４は入力されたページ番号を含む見開きページの画像を見開き表示部７４に表示させる。
【００６５】
演出再生部７５は、演出画像再生スイッチ２６がオンになると、演出設定情報記憶部２４から演出設定情報を読み出して、見開き表示部７４に表示されているページに設定されている演出効果を再生する。なお、演出効果の再生は、演出画像再生スイッチ２６のオンによって行われるのに限らず、ポインティング位置に対するクリック動作に応答して見開きページを再生するのと同時に自動的に演出効果を含めて見開きページを再生させてもよい。
【００６６】
なお、プレビュー画像を表示する位置は、ポインティングした縁を含む小口または地に設定されればよい。図９においては、現在見開き画像が表示されているページＰの直下のページの地の縁がポインティングされて、この縁にプレビュー画像６６の上辺を位置させている。プレビュー画像はこのような位置に限らず、少なくともポインティングされた縁を含む上下（地の場合）、あるいは左右（小口の場合）にわたる範囲に表示されていればよい。換言すれば、ポインティングされた縁に重ねてプレビュー画像が表示されていればよい。
【００６７】
次に、プレビュー画像の変形例を説明する。プレビュー画像は、見開きページの画像に重ねて表示されるので、見開きページの一部がプレビュー画像で隠されてしまう。このように見開きページの一部がプレビュー画像によって隠されるのを防止するため、プレビュー画像を半透明で表示させるのがよい。
【００６８】
図１４は、半透明のプレビュー画像の例を示す図である。この図では、小口に左端を位置させて、そこから右側に広がってページの内側に延びている態様でプレビュー画像７６が表示されている。この表示態様によれば、見開きページを再生画像表示領域２９を一杯に使用して大きく表示しつつプレビュー画像も表示させることができる。このような表示態様の場合、プレビュー画像７６を半透明とすることで、プレビュー画像７６と重なる見開きページの絵を透かして見せる効果がある。
【００６９】
ページジャンプを行う機能を有する見開き画像では、上のページと下のページとの小口方向にｍずつずれ量が設けられ、地方向にはｎずつずれ量が設けられている。このずれ量ｍ、ｎが小さいと、小口や地にはみ出している縁の色が少ししか見えない。そこで、小口や地のサイズつまりページから横方向および下方向へのはみ出し量を変化させて表示できるようにするのが好ましい。
【００７０】
ここでは、ページサイズを縮小して表示することができる手段を備え、ページサイズを縮小させる一方、ずれ量ｍ、ｎは固定値としておく。これによって、結果的に、ページサイズを縮小したときにずれ量ｍ、ｎの比を大きくすることができる。そうして、小口や地のサイズをページサイズに対して大きくしたデータを使用して再生画像表示領域２９にページの画像を表示する。
【００７１】
図１５は、小口や地の幅を大きくした場合のページ見開き画像を示す図である。図１５から分かるように、各ページの小口７７の幅Ｑと地７８の幅Ｒが大きいので、現在表示されているページよりも下位の右ページや、上位の左ページの縁が大きく表示され、隠れている画面の特徴をより良く判断しやすい。符号７９は、地７８に重ねて貼り付けられたプレビュー画像を示す。
【００７２】
図１６は、絵本の設定窓の例であり、この設定窓からページサイズを設定する。図１６において、ページサイズは「表紙の寸法」で表される。この「表示の寸法」の設定項目で「縦」と「横」のサイズとして小さい値を入力すると、変更された画像データでは、小口や地がページサイズに対して大きくなる。したがって、この画像データをもとに再生画像表示領域２９の全体を使うように拡大して表示させることで小口や地の幅を大きく表示することができる。
【００７３】
図１７は、小口や地の幅を大きく表示するための画像データの処理工程を示す模式図である。図１７（ａ）は、ページサイズＱ、Ｒに対する小口および地の幅ｑ、ｒの比が小さい原画像データの模式図である。図１６の窓で表紙サイズとしてＱ、Ｒより小さいＱ１、Ｒ１を設定した場合、画像データは図１７（ｂ）に示すように小口および地の幅はｑ、ｒはそのまま維持される。そして、再生画像表示領域２９に表示する場合は、画像データ全体を大きくして表示するため、画像データを拡張して、ページサイズはＱ、Ｒに戻し、小口および地の幅はｑ１、ｒ１に変化させる。
【００７４】
上述の実施形態において、該プレビュー画像中に、演出設定情報に関する表示を行うことができる。図１８は、画像中に演出設定情報を表示した例を示す図である。図１８において、見開き画像８０の右ページのキャラクタ８１の演出設定領域８２には、演出効果を示す情報（マーク）Ａ、Ｂが表示され、キャラクタ８３の演出設定領域８４には、演出効果を示す情報Ｃ、Ｄが表示され、キャラクタ８５の演出設定領域８６には演出効果を示す情報Ｅが表示される。また、見開き画像８０の左ページの文に設定した演出設定領域８７には、演出効果を示す情報Ｅ、Ｆが表示される。情報Ａ〜Ｆは、サウンド、画像の拡大・縮小、画像の回転、画像の移動、音声、ＢＧＭ等の演出効果がそれぞれの演出設定領域に設定されていることを示す。
【００７５】
図１８においては、地にプレビュー画像８８が表示されている例を示しており、このプレビュー画像８８にも、演出マークが含まれている。
【００７６】
なお、絵本のストーリ、つまり時間経過に従って予定の順序で再生されるストーリ演出と、ユーザが画面上をマウス等入力装置でクリックしたときに、そのクリックした位置が予定のシークレット設定位置であった場合に演出効果が再生されるシークレット演出とを区別して設定することができる。そして、前記演出効果を示すマークには、該演出効果がストーリ演出に属するものかシークレット演出に属するものかを表すものを追加してもよい。もちろん、プレビュー画像とともにページ番号を表示してもよい。
【００７７】
上述のように、本実施形態によれば、２ページ見開き形式で表示される絵本の所望のページへジャンプさせるため、小口側および地側に、下に隠れているページの一部をはみ出させた。そして、そのはみ出し部をポインティングすることで小口見出しの態様でプレビュー画像を表示させ、その位置でクリックしてページ切り替え指示を行うことで、該プレビュー画像に対応する所望の見開きページにジャンプしてその画像を表示させることができる。
【００７８】
本実施形態は、絵本に関して説明したが、本の種類は絵本に限らず、写真集やカタログブック等でも同様に表示できる。また、本や冊子に限らず、独立した複数枚の絵や写真をスキャナ装置９で取り込んでサイズを調節して本形式で表示させるものにも適用することができる。
【図面の簡単な説明】
【００７９】
【図１】本発明の一実施形態に係る本形式の見開き画像表示例を示す図である。
【図２】本発明の一実施形態に係る画像表示制御装置であるパーソナルコンピュータのハード構成を示すブロック図である。
【図３】画像に演出設定するための画像表示制御装置の要部機能を示すブロック図である。
【図４】画像表示制御装置の操作部を含む表示画面の一例を示す図である。
【図５】演出設定モードにおける表示装置４の表示例を示す図である。
【図６】音声演出の設定窓の一例を示す図である。
【図７】演出設定情報の記憶例を示す図である。
【図８】見開き右ページの小口および地の拡大図である。
【図９】プレビュー画像を含む表示例を示す図である。
【図１０】再生画像表示領域上での各ページの画像データのＸ・Ｙ座標を示す模式図である。
【図１１】画像の表示位置を示す座標値の記憶例を示す図である。
【図１２】ページジャンプ処理の例を示すフローチャートである。
【図１３】ページジャンプ処理に必要な機能を示す画像表示制御装置の要部機能ブロック図である。
【図１４】半透明のプレビュー画像の例を示す図である。
【図１５】小口や地の幅を大きくした場合のページ見開き画像を示す図である。
【図１６】絵本の設定窓の一例を示す図である。
【図１７】小口や地の幅を大きく表示するための画像データの処理工程を示す模式図である。
【図１８】画像中に演出設定情報を表示した例を示す図である。
【符号の説明】
【００８０】
１…ＣＰＵ、  ４…表示装置、  ７…入力装置、  ９…スキャナ装置、  １９…画像作成モードスイッチ、  ２０…画像記憶部、  ２２…演出設定画像作成部、  ２３…演出設定モードスイッチ、  ２４…演出設定情報記憶部、  ２５…演出設定画像再生部、  ２７…画面、  ２９…再生画像表示領域、  ５９…小口、  ６０…地、  ６４、６５…絵の一部、  ６８…ポインティング位置判別部、  ６９…指示ページ抽出部、  ７０…ページ座標記憶部、  ７１…プレビュー作成部、  ７３…プレビュー指示判定部
【図１】
2010039757.tif 000003
【図２】
2010039757.tif 000004
【図３】
2010039757.tif 000005
【図４】
2010039757.tif 000006
【図５】
2010039757.tif 000007
【図６】
2010039757.tif 000008
【図７】
2010039757.tif 000009
【図８】
2010039757.tif 000010
【図９】
2010039757.tif 000011
【図１０】
2010039757.tif 000012
【図１１】
2010039757.tif 000013
【図１２】
2010039757.tif 000014
【図１３】
2010039757.tif 000015
【図１４】
2010039757.tif 000016
【図１５】
2010039757.tif 000017
【図１６】
2010039757.tif 000018
【図１７】
2010039757.tif 000019
【図１８】
2010039757.tif 000020
【手続補正書】
【提出日】平成20年8月8日(2008.8.8)
【手続補正１】
【補正対象書類名】特許請求の範囲
【補正対象項目名】全文
【補正方法】変更
【補正の内容】
【特許請求の範囲】
【請求項１】
画像記憶手段に予め準備された複数枚の画像を右ページ画像と左ページ画像の組からなる本形式の見開き画像として表示装置に表示する画像表示方法において、
前記見開き画像を、最上位ページから最下位ページまでの画像を所定量ずつずらして前後の見開き画像の各ページの縁が見えるように重ねて表示するステップと、
現在表示されている見開き画像の下にあるページの縁が表示されている領域に入力装置で位置が指示されたことを検出するステップと、
前記入力装置による位置の指示を検出した場合に、指示された位置に対応するページを指定ページとして特定するステップと、
指定ページを含む見開き画像を前記画像記憶手段から読み出して、該見開き画像のプレビュー画像を、前記指定ページの前記指示された位置の近傍に重ねて表示するステップと、
前記指示された位置に対して、入力装置によるページ切り替え指示がなされたことを検出するステップと、
前記ページ切り替え指示に応答して、前記プレビュー画像で代表される見開き画像を現在表示されている画像に代えて表示するステップとからなることを特徴とする画像表示方法。
【請求項２】
前記指定ページとして特定するステップが、指示された位置を含んでいるページのうち、現在表示されている見開き画像のページに最も近いページを前記指定ページとするステップであることを特徴とする請求項１記載の画像表示方法。
【請求項３】
前記プレビュー画像の表示位置が、前記指示された位置と重ならない位置に設定されることを特徴とする請求項１または２記載の画像表示方法。
【請求項４】
前記プレビュー画像が半透明画像で表示されることを特徴とする請求項１〜３のいずれかに記載の画像表示方法。
【請求項５】
前記各ページの縁が見えるように重ねて表示するステップでは、各ページの画像を本の小口側および地側へそれぞれずらして表示することを特徴とする請求項１〜４のいずれかに記載の画像表示方法。
【請求項６】
前記各ページの画像と小口側および地側への位置のずらし量との割合を変化させ、小口および地側の幅を大きくして見開き画像を表示させるステップを含んでいることを特徴とする請求項５記載の画像表示方法。
【請求項７】
見開き画像に予め設定されている演出効果に関する情報をプレビュー画像に表示するステップを含んでいることを特徴とする請求項１〜６のいずれかに記載の画像表示方法。
【請求項８】
請求項１〜７のいずれかに記載された画像表示方法の各ステップをコンピュータによって実行させる画像表示用コンピュータプログラム。
【請求項９】
請求項８に記載された画像表示用コンピュータプログラムを格納したコンピュータによる読み取り可能な記録媒体。
【手続補正２】
【補正対象書類名】明細書
【補正対象項目名】００１３
【補正方法】変更
【補正の内容】
【００１３】
また、本発明は、見開き画像に予め設定されている演出効果に関する情報をプレビュー画像に表示するステップを含んでいる点に第７の特徴がある。
【手続補正３】
【補正対象書類名】明細書
【補正対象項目名】００２２
【補正方法】変更
【補正の内容】
【００２２】
第７の特徴によれば、見開き画像に予め設定されている音声や画像処理の演出を、プレビュー画像に含まれているマーク等の情報によって認識することができる。
【手続補正４】
【補正対象書類名】明細書
【補正対象項目名】００７４
【補正方法】変更
【補正の内容】
【００７４】
上述の実施形態において、該プレビュー画像中に、演出設定情報に関する表示を行うことができる。図１８は、画像中に演出設定情報を表示した例を示す図である。図１８において、見開き画像８０の右ページのキャラクタ８１の演出設定領域８２には、演出効果を示す情報（マーク）Ａ、Ｂが表示され、キャラクタ８３の演出設定領域８４には、演出効果を示す情報Ｃ、Ｄが表示され、キャラクタ８５の演出設定領域８６には演出効果を示す情報Ｅが表示される。また、見開き画像８０の左ページの文に設定した演出設定領域８７には、演出効果を示す情報Ｆ、Ｇが表示される。情報Ａ〜Ｇは、サウンド、画像の拡大・縮小、画像の回転、画像の移動、音声、ＢＧＭ等の演出効果がそれぞれの演出設定領域に設定されていることを示す。